(57)【要約】【課題】開口部を介して接続部材を外部から配線基板に接続する場合に、配線基板の信号配線を静電気から有効に保護することが可能なテレビジョン装置を提供する。【解決手段】この液晶テレビジョン１００（テレビジョン装置）は、制御基板３０と、制御基板３０が内部に配置され、制御基板３０に電気的に接続される所定の暗号解除用カード２００を外部から制御基板３０に接続するためのカード挿入口１０ｅを含むテレビジョン本体１０とを備える。制御基板３０は、信号配線３３と、テレビジョン本体１０のカード挿入口１０ｅ近傍で、かつ、信号配線３３よりもカード挿入口１０ｅ側（矢印Ｘ１方向側）の位置で制御基板３０の表面に露出するように設けられた接地配線３４とを含む。【選択図】図４
2011160239.tif 000002
【特許請求の範囲】
【請求項１】
配線基板と、
前記配線基板が内部に配置され、前記配線基板に電気的に接続される所定の接続部材を外部から前記配線基板に接続するための開口部を含む筐体とを備え、
前記配線基板は、信号配線と、前記筐体の開口部近傍で、かつ、前記信号配線よりも前記開口部側の位置で前記配線基板の表面に露出するように設けられた第１接地配線とを含む、テレビジョン装置。
【請求項２】
前記第１接地配線は、少なくとも前記配線基板の前記信号配線が配置される領域の前記開口部側の領域において前記配線基板の表面に露出されている、請求項１に記載のテレビジョン装置。
【請求項３】
前記所定の接続部材は、外部から前記開口部に挿入されることにより前記配線基板と接続可能に構成されており、
前記配線基板の第１接地配線は、前記所定の接続部材が前記開口部に挿入される方向と略直交する方向に延びるように前記配線基板の表面に帯状に露出されている、請求項２に記載のテレビジョン装置。
【請求項４】
帯状に露出された前記第１接地配線は、前記所定の接続部材が前記開口部に挿入される方向と直交する方向の前記開口部の長さよりも大きい長さを有するように構成されている、請求項３に記載のテレビジョン装置。
【請求項５】
前記配線基板に取り付けられ、前記信号配線と接続される回路部をさらに備え、
前記第１接地配線は、前記回路部と接続される前記信号配線を介して前記回路部に静電気が通電されないように、前記信号配線よりも前記開口部側の位置で露出されている、請求項１〜４のいずれか１項に記載のテレビジョン装置。
【請求項６】
前記配線基板は、前記第１接地配線および前記信号配線を構成する第１導電層と、前記第１導電層の表面を覆う第１絶縁層とをさらに含み、
前記配線基板の前記信号配線よりも前記開口部側の前記第１絶縁層が除去されることにより前記第１接地配線を構成する前記第１導電層が前記配線基板の表面に露出されている、請求項１〜５のいずれか１項に記載のテレビジョン装置。
【請求項７】
前記配線基板は、前記第１導電層の前記第１絶縁層とは反対側に配置された第２絶縁層と、前記第１接地配線を構成する前記第１導電層と電気的に接続され、前記第２絶縁層の前記第１導電層とは反対側に配置された第２接地配線を構成する第２導電層とをさらに含み、
前記第１接地配線に通電された静電気は、少なくとも前記第２接地配線を介して接地されるように構成されている、請求項６に記載のテレビジョン装置。
【請求項８】
前記筐体内に設置された金属製のシャーシをさらに備え、
前記配線基板は、前記第１接地配線と電気的に接続され、前記シャーシに対して取り付け可能に構成された取付部をさらに含み、
前記第１接地配線は、前記取付部を介して前記シャーシと電気的に接続されているとともに、前記第１接地配線に伝達された静電気は、少なくとも前記取付部を介して前記シャーシに逃がされることにより接地されるように構成されている、請求項１〜７のいずれか１項に記載のテレビジョン装置。
【請求項９】
前記所定の接続部材は、カード状の接続部材であり、
前記筐体の開口部は、前記カード状の接続部材を挿入可能なカード挿入口であり、
前記第１接地配線は、前記カード挿入口近傍において前記配線基板の表面に露出されている、請求項１〜８のいずれか１項に記載のテレビジョン装置。
【発明の詳細な説明】
【技術分野】
【０００１】
この発明は、テレビジョン装置に関し、特に、接地配線を含む配線基板を備えるテレビジョン装置に関する。
【背景技術】
【０００２】
従来、接地配線を含む配線基板を備えるテレビジョン装置が知られている（たとえば、特許文献１参照）。
【０００３】
上記特許文献１には、パターン（信号配線）が配置されたパネル（配線基板）を備える電子装置（テレビジョン装置）が開示されている。また、上記特許文献１による電子装置のパネルには、パターンの側方に沿うように形成されたダミーバー（接地配線）が設けられている。このダミーバーは、パネルが把持された際の作業者などからの静電放電からパターンを保護するために設けられている。
【先行技術文献】
【特許文献】
【０００４】
【特許文献１】特開２００９−１５３２０号公報
【発明の概要】
【発明が解決しようとする課題】
【０００５】
しかしながら、上記特許文献１による電子装置（テレビジョン装置）では、ダミーバーがパターンの側方に沿うよう設けられている一方で、パターン（信号配線）の先端部と対応するパネル（配線基板）の外縁部側との間の部分には、ダミーバーが設けられていない。このため、たとえば、上記特許文献１による電子装置を、外部から接続部材をパネル（配線基板）に接続するための開口部が筐体に設けられる構造に適用する場合には、開口部を介して外部から配線基板に接続部材を接続する際に、配線基板の外縁部側のパターンの先端側部分に静電気が放電されてしまうと考えられる。このため、上記特許文献１による電子装置（テレビジョン装置）を、開口部を介して接続部材を外部から配線基板に接続する構造に適用する場合には、配線基板の信号配線を静電気から有効に保護することができない場合があるという問題点がある。
【０００６】
この発明は、上記のような課題を解決するためになされたものであり、この発明の１つの目的は、開口部を介して接続部材を外部から配線基板に接続する場合に、配線基板の信号配線を静電気から有効に保護することが可能なテレビジョン装置を提供することである。
【課題を解決するための手段および発明の効果】
【０００７】
この発明の一の局面によるテレビジョン装置は、配線基板と、配線基板が内部に配置され、配線基板に電気的に接続される所定の接続部材を外部から配線基板に接続するための開口部を含む筐体とを備え、配線基板は、信号配線と、筐体の開口部近傍で、かつ、信号配線よりも開口部側の位置で配線基板の表面に露出するように設けられた第１接地配線とを含む。
【０００８】
この一の局面によるテレビジョン装置では、上記のように、筐体の所定の接続部材を外部から配線基板に接続するための開口部近傍で、かつ、信号配線よりも開口部側の位置で配線基板の表面に露出するように第１接地配線を設けることによって、静電気を帯電しているユーザが所定の接続部材を外部から開口部に配置する場合において、第１接地配線が信号配線よりも開口部側の位置で露出しているので、ユーザ側から放電される静電気を開口部側に位置する第１接地配線に逃がすことができる。これにより、信号配線に静電気が伝達されるのを抑制することができるので、筐体の開口部を介して接続部材を外部から配線基板に接続する場合にも、配線基板の信号配線を静電気から有効に保護することができる。
【０００９】
上記一の局面によるテレビジョン装置において、好ましくは、第１接地配線は、少なくとも配線基板の信号配線が配置される領域の開口部側の領域において配線基板の表面に露出されている。このように構成すれば、第１接地配線により、信号配線を静電気からより有効に保護することができる。
【００１０】
上記配線基板の表面に露出されている第１接地配線が設けられたテレビジョン装置において、好ましくは、所定の接続部材は、外部から開口部に挿入されることにより配線基板と接続可能に構成されており、配線基板の第１接地配線は、所定の接続部材が開口部に挿入される方向と略直交する方向に延びるように配線基板の表面に帯状に露出されている。このように構成すれば、接続部材が開口部に挿入される方向と略直交する方向に延びる第１接地配線により、接続部材が開口部に挿入される方向と略直交する方向に延びる広い範囲で静電気を逃がすことができるので、効果的に信号配線を静電気から保護することができる。
【００１１】
この場合において、好ましくは、帯状に露出された第１接地配線は、所定の接続部材が開口部に挿入される方向と直交する方向の開口部の長さよりも大きい長さを有するように構成されている。このように構成すれば、所定の接続部材が挿入される開口部の全域において第１接地配線により静電気を逃がすことができる。これにより、より効果的に信号配線を静電気から保護することができる。
【００１２】
上記一の局面によるテレビジョン装置において、好ましくは、配線基板に取り付けられ、信号配線と接続される回路部をさらに備え、第１接地配線は、回路部と接続される信号配線を介して回路部に静電気が通電されないように、信号配線よりも開口部側の位置で露出されている。このように構成すれば、回路部と接続される信号配線よりも開口部側の位置で露出されている第１接地配線に静電気を逃がすことができるので、回路部に静電気が伝達されるのを抑制することができる。これにより、回路部が静電気により破壊されるのを抑制することができる。
【００１３】
上記一の局面によるテレビジョン装置において、好ましくは、配線基板は、第１接地配線および信号配線を構成する第１導電層と、第１導電層の表面を覆う第１絶縁層とをさらに含み、配線基板の信号配線よりも開口部側の第１絶縁層が除去されることにより第１接地配線を構成する第１導電層が配線基板の表面に露出されている。このように構成すれば、第１絶縁層を除去することにより、容易に、第１接地配線を配線基板の表面に露出させることができる。
【００１４】
この場合において、好ましくは、配線基板は、第１導電層の第１絶縁層とは反対側に配置された第２絶縁層と、第１接地配線を構成する第１導電層と電気的に接続され、第２絶縁層の第１導電層とは反対側に配置された第２接地配線を構成する第２導電層とをさらに含み、第１接地配線に通電された静電気は、少なくとも第２接地配線を介して接地されるように構成されている。このように構成すれば、第１接地配線および信号配線を構成する第１導電層から静電気を第２接地配線に逃がすことができるので、信号配線から静電気を遠ざけることができる。これにより、静電気に起因して信号配線に発生する信号ノイズを低減することができる。
【００１５】
上記一の局面によるテレビジョン装置において、好ましくは、筐体内に設置された金属製のシャーシをさらに備え、配線基板は、第１接地配線と電気的に接続され、シャーシに対して取り付け可能に構成された取付部をさらに含み、第１接地配線は、取付部を介してシャーシと電気的に接続されているとともに、第１接地配線に伝達された静電気は、少なくとも取付部を介してシャーシに逃がされることにより接地されるように構成されている。このように構成すれば、面積の大きいシャーシにより、容易に、第１接地配線に逃がされた静電気を接地電位に落とすことができる。
【００１６】
上記一の局面によるテレビジョン装置において、好ましくは、所定の接続部材は、カード状の接続部材であり、筐体の開口部は、カード状の接続部材を挿入可能なカード挿入口であり、第１接地配線は、カード挿入口近傍において配線基板の表面に露出されている。このように構成すれば、静電気を帯電しているユーザがカード状の接続部材を筐体のカード挿入口から挿入する際に、ユーザ側からの静電気をカード挿入口近傍において配線基板の表面に露出されている第１接地配線に逃がすことができる。
【図面の簡単な説明】
【００１７】
【図１】本発明の一実施形態による液晶テレビジョンの全体斜視図である。
【図２】本発明の一実施形態による液晶テレビジョンの背面図である。
【図３】本発明の一実施形態による液晶テレビジョンの側面図である。
【図４】本発明の一実施形態による液晶テレビジョンの制御基板を示した平面図である。
【図５】本発明の一実施形態による液晶テレビジョンの制御基板のカード配置部周辺を拡大した平面図である。
【図６】図５の４００−４００線に沿った断面図である。
【図７】図５の５００−５００線に沿った断面図である。
【図８】図５の６００−６００線に沿った断面図である。
【図９】図５の７００−７００線に沿った断面図である。
【発明を実施するための形態】
【００１８】
以下、本発明を具体化した実施形態を図面に基づいて説明する。
【００１９】
図１〜図９を参照して、本発明の一実施形態による液晶テレビジョン１００の構成について説明する。なお、本実施形態では、テレビジョン装置の一例である液晶テレビジョン１００に本発明を適用した場合について説明する。
【００２０】
本発明の一実施形態による液晶テレビジョン１００は、図１に示すように、前側筐体１０ａおよび後側筐体１０ｂからなるテレビジョン本体１０と、テレビジョン本体１０の正面に設けられた液晶表示部１１ａを含む液晶モジュール１１と、液晶表示部１１ａの左右両側に設けられた音声出力部（スピーカ）１２とにより主に構成されている。なお、後側筐体１０ｂは、本発明の「筐体」の一例である。また、液晶テレビジョン１００は、暗号を含むテレビジョン放送信号を受信可能に構成されており、後述する制御回路部３１が所定の暗号解除用カード２００（図２参照）を認識しなければ、スクランブルが掛かった状態の映像が液晶表示部１１ａに表示されるように構成されている。なお、暗号解除用カード２００は、本発明の「所定の接続部材」の一例である。
【００２１】
液晶モジュール１１は、図３に示すように、上述した液晶表示部１１ａと、液晶表示部１１ａを収納する金属製のシャーシ１１ｂとを含んでいる。また、液晶モジュール１１は、シャーシ１１ｂがテレビジョン本体１０の内部に設置されるとともに、液晶表示部１１ａがテレビジョン本体１０の前側筐体１０ａの正面（矢印Ｙ１方向側）から露出した状態で、テレビジョン本体１０の内部に収納されている。
【００２２】
また、液晶モジュール１１のシャーシ１１ｂには、図２および図３に示すように、電源基板２０および制御基板３０がねじ部材５０によってねじ止めされている。なお、制御基板３０は、本発明の「配線基板」の一例である。電源基板２０は、図２に示すように、後側筐体１０ｂの背面側の中央部分に設けられた後側（矢印Ｙ２方向側）への突出部１０ｃに収納されている。また、電源基板２０は、外部から取得した電源を平滑化する回路と、アナログ信号の入出力を行う回路とにより主に構成されている。具体的には、電源基板２０には、アナログ映像信号およびアナログ音声信号を入出力可能な複数のＲＣＡ端子接続部２１およびＳＣＡＲＴ端子接続部２２が設けられており、ＲＣＡ端子接続部２１およびＳＣＡＲＴ端子接続部２２は、後側筐体１０ｂの背面の突出部１０ｃから露出するように配置されている。
【００２３】
ここで、本実施形態では、制御基板３０は、電源基板２０が収納されている突出部１０ｃの側方（矢印Ｘ１方向）の突出部１０ｄの内部に配置されている。この制御基板３０には、図４に示すように、液晶テレビジョン１００の制御を行う制御回路部３１が取り付けられている。なお、制御回路部３１は、本発明の「回路部」の一例である。また、制御基板３０には、図示しないチューナ部により受信されたテレビジョン放送信号に含まれる暗号を解除するための暗号解除用カード２００が配置されるカード配置部３２が設けられている。カード配置部３２は、暗号解除用カード２００が配置された際に、暗号解除用カード２００と電気的に接続するように構成されている。
【００２４】
具体的には、本実施形態では、図２に示すように、テレビジョン本体１０の突出部１０ｄのカード配置部３２の側方（矢印Ｘ１方向）部分には、カード挿入口１０ｅが設けられている。なお、カード挿入口１０ｅは、本発明の「開口部」の一例である。このカード挿入口１０ｅは、暗号解除用カード２００を外部からテレビジョン本体１０の内部に挿入可能に構成されている。また、カード挿入口１０ｅは、液晶テレビジョン１００の上下方向（Ｚ方向）に延びるように開口しており、カード挿入口１０ｅの上下方向（Ｚ方向）の長さＬ１は、暗号解除用カード２００の短手方向（Ｚ方向）の幅Ｗの大きさと略同じ大きさになるように構成されている。
【００２５】
また、カード配置部３２には、図４に示すように、暗号解除用カード２００と対応する部分に複数の信号配線３３（図４および図５参照）が配置される領域Ｒ（図４の斜線に囲まれた領域）が設けられている。そして、暗号解除用カード２００がカード挿入口１０ｅから挿入されるとともにカード配置部３２に配置された場合（暗号解除用カード２００が２点鎖線部分に位置した場合）には、複数の信号配線３３は、暗号解除用カード２００と電気的に接続されるように構成されている。これにより、所定の暗号解除用カード２００がカード配置部３２に配置された場合には、所定の暗号解除用カード２００によりテレビジョン放送信号に含まれる暗号が解除されるので、スクランブルが解除された映像を液晶表示部１１ａ（図１参照）に表示することが可能となる。
【００２６】
ここで、本実施形態では、制御基板３０のカード配置部３２のカード挿入口１０ｅ近傍には、暗号解除用カード２００がカード挿入口１０ｅ（図２参照）に挿入される方向（矢印Ｘ２方向）と略直交する方向（Ｚ方向）に延びる帯状に露出するように接地配線３４が設けられている。つまり、接地配線３４は、後側筐体１０ｂのカード挿入口１０ｅの上下方向（Ｚ方向）に沿って延びるように制御基板３０の表面に露出するように設けられている。なお、接地配線３４は、本発明の「第１接地配線」の一例である。この接地配線３４は、暗号解除用カード２００がカード挿入口１０ｅに挿入される方向（矢印Ｘ２方向）と直交する方向（Ｚ方向）のカード挿入口１０ｅの長さＬ１（図２参照）よりも大きい長さＬ２を有するように露出されている。また、接地配線３４は、制御基板３０の複数の信号配線３３が配置される領域Ｒよりもカード挿入口１０ｅ側（矢印Ｘ１方向側）に位置するように露出されている。つまり、接地配線３４は、複数の信号配線３３よりもカード挿入口１０ｅ側（矢印Ｘ１方向側）に位置するように制御基板３０の表面に上下方向（Ｚ方向）に延びるように帯状に露出されている。
【００２７】
また、複数の信号配線３３のうちのいずれかは、制御回路部３１と接続されている。そして、接地配線３４は、制御回路部３１と接続されている信号配線３３に対してもカード挿入口１０ｅ側に露出した状態で配置されている。これにより、帯電しているユーザが暗号解除用カード２００をカード挿入口１０ｅ（図２参照）から挿入した場合にも、信号配線３３よりもカード挿入口１０ｅ側（矢印Ｘ１方向側）に位置する接地配線３４に静電気が導かれるので、制御回路部３１と接続される信号配線３３を介して制御回路部３１に静電気が伝達されるのを抑制することが可能である。
【００２８】
また、本実施形態では、図５および図６に示すように、制御基板３０は、複数の層により構成されている。具体的には、制御基板３０は、図６に示すように、第１導電層３０１と、第１導電層３０１の表面を覆うレジスト３０２と、第１導電層３０１のレジスト３０２とは反対側に配置された絶縁層３０３と、絶縁層３０３の第１導電層３０１とは反対側に配置された全面接地導電層を構成する第２導電層３０４とを備えている。また、制御基板３０は、さらに、第２導電層３０４の絶縁層３０３とは反対側に配置された絶縁層３０５と、絶縁層３０５の第２導電層３０４とは反対側に配置された電源を構成する第３導電層３０６と、第３導電層３０６の絶縁層３０５とは反対側に配置された絶縁層３０７と、絶縁層３０７の第３導電層３０６とは反対側に配置された全面接地導電層を構成する第４導電層３０８とを備えている。なお、レジスト３０２は、本発明の「第１絶縁層」の一例である。また、絶縁層３０３は、本発明の「第２絶縁層」の一例である。
【００２９】
第１導電層３０１は、信号配線３３および接地配線３４を構成している。信号配線３３と接地配線３４とは、所定の間隔を隔てて設けられており、信号配線３３と接地配線３４との間で通電しないように構成されている。また、制御基板３０の信号配線３３よりもカード挿入口１０ｅ側（矢印Ｘ１方向側）の制御基板３０の表面に露出されている接地配線３４は、図６および図７に示すように、レジスト３０２が除去されることにより設けられている。
【００３０】
また、第１導電層３０１の接地配線３４には、図５および図８に示すように、全面接地導電層を構成する第２導電層３０４と電気的に接続するための複数のスルーホール３５が設けられている。これらスルーホール３５は、それぞれ、レジスト３０２から第４導電層３０８までを貫通するように形成されている。また、スルーホール３５の内周面は、銅めっきされることにより形成された筒状部３５ａにより覆われている。この筒状部３５ａは、第１導電層３０１の接地配線３４および全面接地導電層を構成する第２導電層３０４のみに接続されており、接地配線３４に伝達された静電気は、第２導電層（全面接地導電層）３０４を介して接地されるように構成されている。
【００３１】
また、本実施形態では、制御基板３０は、図３および図９に示すように、上述したように、シャーシ１１ｂに対してねじ部材５０によってねじ止めされている。具体的には、矩形状の制御基板３０の４隅には、それぞれ、図２および図４に示すように、ねじ挿入穴部３６が設けられている。なお、ねじ挿入穴部３６は、本発明の「取付部」の一例である。これらねじ挿入穴部３６は、図９に示すように、それぞれ、レジスト３０２から第４導電層３０８までを貫通するように形成されている。そして、ねじ挿入穴部３６に金属製のねじ部材５０が挿入されるとともに、ねじ部材５０がシャーシ１１ｂのねじ穴１１ｃに螺合されることにより、制御基板３０は、シャーシ１１ｂに対して固定されている。
【００３２】
ここで、接地配線３４および全面接地導電層（第２導電層）３０４とシャーシ１１ｂとは、ねじ部材５０を介して互いに電気的に接続される。具体的には、ねじ挿入穴部３６の内周面は、スルーホール３５と同様に、銅めっきされることにより形成された筒状部３６ａにより覆われている。この筒状部３６ａは、第１導電層３０１の接地配線３４および全面接地導電層（第２導電層）３０４のみに接続されている。これにより、ねじ挿入穴部３６にねじ部材５０が挿入されるとともに、金属製のねじ部材５０がシャーシ１１ｂのねじ穴１１ｃに螺合された場合に、ねじ部材５０のねじ部５０ａを介して、接地配線３４および第２導電層３０４とシャーシ１１ｂとを互いに電気的に接続することが可能となる。これにより、接地配線３４および第２導電層３０４に伝達された静電気は、少なくともねじ挿入穴部３６を介してシャーシ１１ｂに逃がされることにより接地される。
【００３３】
また、ねじ挿入穴部３６の周囲には、図４および図９に示すように、複数個（８個）の半田部３７が設けられている。これら複数の半田部３７は、レジスト３０２を剥がした部分を半田により埋めることによって形成されている。つまり、半田部３７は、第１導電層３０１（接地配線３４）の上面と接続するように構成されている。また、半田部３７の露出している面は、ねじ部材５０がねじ挿入穴部３６に挿入されるとともに、ねじ部材５０がシャーシ１１ｂのねじ穴１１ｃに螺合された場合に、ねじ部材５０の頭部５０ｂと接触するように構成されている。これにより、接地配線３４および第２導電層３０４に伝達された静電気は、少なくとも半田部３７およびねじ部材５０を介してシャーシ１１ｂに逃がされることにより接地される。
【００３４】
また、ねじ挿入穴部３６の周囲の半田部３７の間には、図４に示すように、複数個（８個）のスルーホール３５が設けられている。このように半田部３７の近傍にスルーホール３５を設けることによって、スルーホール３５、第１導電層３０１（接地配線３４）、半田部３７およびねじ部材５０を介して、第２導電層３０４をシャーシ１１ｂに接地させることが可能となる。
【００３５】
また、制御基板３０のカード配置部３２の上方には、図２に示すように、デジタル信号を送受信可能なＵＳＢ接続部３８と、デジタル映像信号およびデジタル音声信号を入出力可能なＨＤＭＩ接続部３９とが設けられている。また、テレビジョン本体１０の突出部１０ｄのＵＳＢ接続部３８と対応する部分には、開口部１０ｆが設けられている。また、テレビジョン本体１０の突出部１０ｄのＨＤＭＩ接続部３９と対応する部分には、開口部１０ｇが設けられている。
【００３６】
本実施形態では、上記のように、テレビジョン本体１０の所定の暗号解除用カード２００を外部から制御基板３０に接続するためのカード挿入口１０ｅ近傍で、かつ、信号配線３３よりもカード挿入口１０ｅ側（矢印Ｘ１方向側）の位置で制御基板３０の表面に露出するように接地配線３４を設けることによって、静電気を帯電しているユーザが所定の暗号解除用カード２００を外部からカード挿入口１０ｅに配置する場合において、接地配線３４が信号配線３３よりもカード挿入口１０ｅ側（矢印Ｘ１方向側）の位置で露出しているので、ユーザ側から放電される静電気をカード挿入口１０ｅ側（矢印Ｘ１方向側）に位置する接地配線３４に逃がすことができる。これにより、信号配線３３に静電気が伝達されるのを抑制することができるので、テレビジョン本体１０の後側筐体１０ｂのカード挿入口１０ｅを介して暗号解除用カード２００を外部から制御基板３０に接続する場合にも、制御基板３０の信号配線３３を静電気から有効に保護することができる。
【００３７】
また、本実施形態では、上記のように、接地配線３４を、カード挿入口１０ｅ近傍において制御基板３０の表面に露出することによって、静電気を帯電しているユーザが所定の暗号解除用カード２００をテレビジョン本体１０のカード挿入口１０ｅから挿入する際に、ユーザ側からの静電気をカード挿入口１０ｅ近傍において制御基板３０の表面に露出されている接地配線３４に逃がすことができる。
【００３８】
また、本実施形態では、上記のように、接地配線３４を、制御基板３０の信号配線３３が配置される領域Ｒのカード挿入口１０ｅ側（矢印Ｘ１方向側）の領域において制御基板３０の表面に露出することによって、接地配線３４により、信号配線３３を静電気からより有効に保護することができる。
【００３９】
また、本実施形態では、上記のように、制御基板３０の接地配線３４を、所定の暗号解除用カード２００がカード挿入口１０ｅに挿入される方向（矢印Ｘ２方向）と略直交する方向（Ｚ方向）に延びるように制御基板３０の表面に帯状に露出することによって、暗号解除用カード２００がカード挿入口１０ｅに挿入される方向と略直交する方向（Ｚ方向）に延びる接地配線３４により、暗号解除用カード２００がカード挿入口１０ｅに挿入される方向と略直交する方向（Ｚ方向）に延びる広い範囲で静電気を逃がすことができるので、効果的に信号配線３３を静電気から保護することができる。
【００４０】
また、本実施形態では、上記のように、帯状に露出された接地配線３４を、所定の暗号解除用カード２００がカード挿入口１０ｅに挿入される方向（矢印Ｘ２方向）と直交する方向（Ｚ方向）のカード挿入口１０ｅの長さよりも大きい長さを有するように構成することによって、所定の暗号解除用カード２００が挿入されるカード挿入口１０ｅの全域において接地配線３４により静電気を逃がすことができる。これにより、より効果的に信号配線３３を静電気から保護することができる。
【００４１】
また、本実施形態では、上記のように、接地配線３４を、制御回路部３１と接続される信号配線３３を介して制御回路部３１に静電気が通電されないように、信号配線３３よりもカード挿入口１０ｅ側（矢印Ｘ１方向側）の位置で露出することによって、制御回路部３１と接続される信号配線３３よりもカード挿入口１０ｅ側（矢印Ｘ１方向側）の位置で露出されている接地配線３４に静電気を逃がすことができるので、制御回路部３１に静電気が伝達されるのを抑制することができる。これにより、制御回路部３１が静電気により破壊されるのを抑制することができる。
【００４２】
また、本実施形態では、上記のように、制御基板３０の信号配線３３よりもカード挿入口１０ｅ側（矢印Ｘ１方向側）のレジスト３０２が除去されることにより接地配線３４を構成する第１導電層３０１を制御基板３０の表面に露出することによって、レジスト３０２を除去することにより、容易に、接地配線３４を制御基板３０の表面に露出させることができる。
【００４３】
また、本実施形態では、上記のように、接地配線３４に通電された静電気を、少なくとも第２導電層３０４を介して接地させることによって、接地配線３４および信号配線３３を構成する第１導電層３０１から静電気を第２導電層３０４に逃がすことができるので、信号配線３３を静電気から遠ざけることができる。これにより、静電気に起因して信号配線３３に発生する信号ノイズを低減することができる。
【００４４】
また、本実施形態では、上記のように、接地配線３４に伝達された静電気を、少なくともねじ挿入穴部３６を介してシャーシ１１ｂに逃がされることにより接地させることによって、面積の大きいシャーシ１１ｂにより、容易に、接地配線３４に逃がされた静電気を接地電位に落とすことができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、接地配線を暗号解除用カードがカード挿入口に挿入される方向と直交する方向に延びるように制御基板の表面に帯状に露出した例について示したが、本発明はこれに限られない。カード挿入口近傍で、かつ、信号配線よりもカード挿入口側であれば、接地配線を帯状以外の形状で制御基板の表面に露出してもよい。
【００４７】
また、上記実施形態では、接地配線を、暗号解除用カードがカード挿入口に挿入される方向と直交する方向のカード挿入口の長さよりも大きい長さを有するように構成した例について示したが、本発明はこれに限られない。接地配線を、暗号解除用カードがカード挿入口に挿入される方向と直交する方向のカード挿入口の長さと同じ長さ、または、暗号解除用カードがカード挿入口に挿入される方向と直交する方向のカード挿入口の長さよりも小さい長さを有するように構成してもよい。
【００４８】
また、上記実施形態では、本発明の所定の接続部材の一例としての所定の暗号解除用カードおよび開口部の一例としての所定の暗号解除用カードのカード挿入口に本発明を適用した例について示したが、本発明はこれに限られない。たとえば、所定の接続部材の一例として暗号解除用カード以外のカードに本発明を適用するとともに、開口部の一例として暗号解除用カード以外のカード挿入口に本発明を適用してもよい。また、たとえば、所定の接続部材の一例としての制御基板に接続可能なコネクタ類に本発明を適用するとともに、開口部の一例としてコネクタ類の接続口に本発明を適用してもよい。
【００４９】
また、上記実施形態では、本発明のテレビジョン装置の配線基板の一例としての制御基板に本発明を適用した例について示したが、本発明はこれに限られない。たとえば、電源基板など、制御基板以外の配線基板に本発明を適用してもよい。
【００５０】
また、上記実施形態では、接地配線に伝達された静電気を液晶モジュールのシャーシに逃がすように接地した例について示したが、本発明はこれに限られない。接地配線に通電された静電気を逃がすことが可能な導電性の部品であれば、液晶モジュールのシャーシ以外の部品に静電気を逃がすように接地してもよい。
【００５１】
また、上記実施形態では、制御基板の一例としての４つの導電層を有する制御基板に本発明を適用した例について示したが、本発明はこれに限られない。４つ未満の導電層を有する制御基板に本発明を適用してもよいし、５つ以上の導電層を有する制御基板に本発明を適用してもよい。
【符号の説明】
【００５２】
１０ｂ  後側筐体
１０ｅ  カード挿入口（開口部）
１１ｂ  シャーシ
３０  制御基板（配線基板）
３１  制御回路部（回路部）
３３  信号配線
３４  第１接地配線
３６  ねじ挿入穴部（取付部）
１００  液晶テレビジョン（テレビジョン装置）
２００  暗号解除用カード（接続部材）
３０１  第１導電層
３０２  レジスト（第１絶縁層）
３０３  絶縁層（第２絶縁層）
３０４  第２導電層（第２接地配線）
【図１】
2011160239.tif 000003
【図２】
2011160239.tif 000004
【図３】
2011160239.tif 000005
【図４】
2011160239.tif 000006
【図５】
2011160239.tif 000007
【図６】
2011160239.tif 000008
【図７】
2011160239.tif 000009
【図８】
2011160239.tif 000010
【図９】
2011160239.tif 000011